(57)【特許請求の範囲】
【請求項１】
ユーザ端末が物品から読み取った物品識別情報を、前記ユーザ端末から受信する第２受信部と、
前記第２受信部が受信した物品識別情報と、前記ユーザ端末のユーザの口座の口座識別情報とを対応付けて格納する口座情報格納部と、
前記物品に対して予め定められた払出金額と前記物品の物品識別情報とを対応づけて格納する物品情報格納部と、
現金払出装置が前記物品から読み取った物品識別情報を、前記現金払出装置から受信する第１受信部と、
前記第１受信部が受信した物品識別情報に対応づけて前記口座情報格納部が口座識別情報を格納している場合に、当該物品識別情報に対応づけて前記物品情報格納部が格納している払出金額の現金を払い出すことを前記現金払出装置に許可する払出許可部と
を備える現金払出制御システム。
【請求項２】
ユーザ端末が物品から読み取った物品識別情報を、前記ユーザ端末から受信する第２受信部と、
前記第２受信部が受信した物品識別情報と、前記ユーザ端末のユーザの口座の口座識別情報とを対応付けて格納する口座情報格納部と、
現金払出装置が前記物品から読み取った物品識別情報を、前記現金払出装置から受信する第１受信部と、
前記第１受信部が受信した物品識別情報に対応づけて前記口座情報格納部が口座識別情報を格納している場合に、前記物品に対して予め定められた払出金額の現金を払い出すことを前記現金払出装置に許可する払出許可部と
を備える現金払出制御システム。
【請求項３】
前記払出許可部は、前記第１受信部が受信した物品識別情報に対応づけて前記口座情報格納部が口座識別情報を格納しており、かつ、当該物品識別情報に対応づけて前記口座情報格納部が格納している口座識別情報で識別される口座に、当該物品識別情報に対応づけて前記物品情報格納部が格納している払出金額以上の残高がある場合に、前記物品情報格納部が格納している払出金額の現金を払い出すことを前記現金払出装置に許可する
請求項１に記載の現金払出制御システム。
【請求項４】
前記第１受信部が受信した物品識別情報に対応づけて前記口座情報格納部が格納している口座識別情報で識別される口座から、当該物品識別情報に対応づけて前記物品情報格納部が格納している払出金額の引き落とし処理を行う引落処理部
をさらに備える請求項３に記載の現金払出制御システム。
【請求項５】
前記第２受信部は、現金の払い出しに利用する現金払出装置及び現金払出装置を利用する時刻の少なくとも一方を限定する限定条件を、前記物品識別情報に対応づけて受信し、
前記口座情報格納部は、前記第２受信部が受信した物品識別情報と、前記口座識別情報と、前記限定条件とを対応付けて格納し、
前記払出許可部は、前記第１受信部が受信した物品識別情報に対応づけて前記口座情報格納部が格納している限定条件が満たされることを条件として、予め定められた払出金額の現金を払い出すことを前記現金払出装置に許可する
請求項１に記載の現金払出制御システム。
【請求項６】
現金の払い出しに利用する現金払出装置の場所と、当該現金払出装置に対応する特典の内容とを前記ユーザ端末に送信して、前記ユーザ端末からユーザに提示させる特典提示制御部
をさらに備える請求項５に記載の現金払出制御システム。
【請求項７】
前記物品は、物品識別情報を無線で発信する無線タグ又は印刷されたバーコードを有するカードであり、前記物品識別情報は、前記カードが有する前記無線タグ又は前記バーコードを介して前記ユーザ端末に読み出される
請求項１、５及び６のいずれか一項に記載の現金払出制御システム。
【請求項８】
前記第２受信部は、前記ユーザ端末が前記物品から読み取った物品識別情報及び払出金額を、前記ユーザ端末から受信し、
前記物品情報格納部は、前記第２受信部が受信した前記物品識別情報と前記払出金額とを対応づけて格納する
請求項１、５、６及び７のいずれか一項に記載の現金払出制御システム。
【請求項９】
請求項１から８のいずれか一項に記載に記載の現金払出制御システムと、
前記現金払出装置と
を備える現金払出システム。
【請求項１０】
コンピュータを、請求項１から８のいずれか一項に記載の現金払出制御システムとして機能させるためのプログラム。
【発明の詳細な説明】
【技術分野】
【０００１】
本発明は、現金払出制御システム、現金払出システム及びプログラムに関する。
【背景技術】
【０００２】
ＡＴＭの識別情報に基づく２ＤバーコードをＡＴＭ画面上に表示し、表示された２Ｄバーコードを顧客の移動デバイスでスキャンして金融ウェブサービスに送信し、２Ｄバーコード情報から識別されるＡＴＭに、金融ウェブサービスがトランザクションを実行させるシステムが知られている（例えば、特許文献１参照。）。
特許文献１  特開２０１３−１０５４９０号公報
【発明の概要】
【発明が解決しようとする課題】
【０００３】
従来、キャッシュカードのような現金を払い出す機能を簡素な物品に追加することができないという課題があった。
【課題を解決するための手段】
【０００４】
第１の態様においては、現金払出制御システムは、物品を識別する物品識別情報と、口座を識別する口座識別情報とを対応付けて格納する口座情報格納部と、現金払出装置が物品から読み取った物品識別情報を、現金払出装置から受信する第１受信部と、第１受信部が受信した物品識別情報に対応づけて口座情報格納部が口座識別情報を格納している場合に、予め定められた払出金額の現金を払い出すことを現金払出装置に許可する払出許可部とを備える。
【０００５】
ユーザ端末が物品から読み取った物品識別情報を、ユーザ端末から受信する第２受信部をさらに備え、口座情報格納部は、第２受信部が受信した物品識別情報と、ユーザ端末のユーザの口座の口座識別情報とを対応付けて格納してよい。
【０００６】
物品に対して予め定められた払出金額と当該物品の物品識別情報とを対応づけて格納する物品情報格納部を備え、払出許可部は、第１受信部が受信した物品識別情報に対応づけて口座情報格納部が口座識別情報を格納している場合に、当該物品識別情報に対応づけて物品情報格納部が格納している払出金額の現金を払い出すことを現金払出装置に許可してよい。
【０００７】
払出許可部は、第１受信部が受信した物品識別情報に対応づけて口座情報格納部が口座識別情報を格納しており、かつ、当該物品識別情報に対応づけて口座情報格納部が格納している口座識別情報で識別される口座に、当該物品識別情報に対応づけて物品情報格納部が格納している払出金額以上の残高がある場合に、物品情報格納部が格納している払出金額の現金を払い出すことを現金払出装置に許可してよい。
【０００８】
第１受信部が受信した物品識別情報に対応づけて口座情報格納部が格納している口座識別情報で識別される口座から、当該物品識別情報に対応づけて物品情報格納部が格納している払出金額の引き落とし処理を行う引落処理部をさらに備えてよい。
【０００９】
第２受信部は、現金の払い出しに利用する現金払出装置及び現金払出装置を利用する時刻の少なくとも一方を限定する限定条件を、物品識別情報に対応づけて受信し、口座情報格納部は、第２受信部が受信した物品識別情報と、口座識別情報と、限定条件とを対応付けて格納し、払出許可部は、第１受信部が受信した物品識別情報に対応づけて口座情報格納部が格納している限定条件が満たされることを条件として、予め定められた払出金額の現金を払い出すことを現金払出装置に許可してよい。
【００１０】
現金の払い出しに利用する現金払出装置の場所と、当該現金払出装置に対応する特典の内容とをユーザ端末に送信して、ユーザ端末からユーザに提示させる特典提示制御部をさらに備えてよい。
【００１１】
物品は、物品識別情報を無線で発信する無線タグ又は印刷されたバーコードを有するカードであり、物品識別情報は、カードが有する無線タグ又はバーコードを介してユーザ端末に読み出されてよい。
【００１２】
第２の態様においては、現金払出システムは、上記の現金払出制御システムと、現金払出装置とを備える。
【００１３】
ユーザ端末をさらに備えてよい。
【００１４】
第３の態様においては、プログラムは、コンピュータを、上記の現金払出制御システムとして機能させる。
【００１５】
なお、上記の発明の概要は、本発明の特徴の全てを列挙したものではない。また、これらの特徴群のサブコンビネーションもまた、発明となりうる。
【図面の簡単な説明】
【００１６】
【図１】一実施形態における現金払出システム５の利用環境の一例を概略的に示す。
【図２】ＣＤ１００、ユーザ端末１８０及びサーバ１１０が備える機能構成を示すブロック図である。
【図３】カードに出予約をする場合のユーザ端末１８０及びサーバ１１０の処理シーケンスの一例を示す。
【図４】カードＩＤ取得画面４００を概略的に示す。
【図５】利用回数設定画面５００を概略的に示す。
【図６】利用日時設定画面６００を概略的に示す。
【図７】利用支店設定画面７００を概略的に示す。
【図８】利用ＡＴＭ設定画面８００を概略的に示す。
【図９】サーバ１１０が生成するカード情報の一例をテーブル形式で示す。
【図１０】カード１０を用いてＣＤ１００から払い出しをする場合の処理シーケンスの一例を示す。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１８】
図１は、一実施形態における現金払出システム５の利用環境の一例を概略的に示す。現金払出システム５は、サーバ１１０と、データベースサーバ１２０と、それぞれ現金自動払出機であるＣＤ１００ａ、ＣＤ１００ｂ及びＣＤ１００ｃと、銀行ネットワーク１６０と、ユーザ端末１８０と、カード１０とを備える。カード１０は、物品の一例である。カード１０は、例えばコンビニエンスストア等の店舗から配布される。
【００１９】
ユーザ端末１８０は、携帯機器である。ユーザ端末１８０は、例えば、スマートフォン等の移動電話機、携帯情報端末、タブレット型コンピューティングデバイス等の、通信機能を持つ携帯型の電子機器である。ユーザ端末１８０には、ネットバンキング用のアプリケーションソフトウェアがインストールされている。なお、当該アプリケーションソフトウェアを、「ネットバンキングアプリ」と略称する。ユーザ端末１８０は、インターネット回線等の公衆ネットワーク、移動体通信網等を含む通信ネットワーク１７０を通じて、ネットバンキング機能を提供するサーバ１１０と通信する。例えば、ユーザ端末１８０は、通信ネットワーク１７０を通じてサーバ１１０と通信して、サーバ１１０が提供するネットバンキング機能を利用して、振り込み等をサーバ１１０に指示する。
【００２０】
サーバ１１０は、銀行ネットワーク１６０を通じてデータベースサーバ１２０にアクセスして、ネットバンキングの機能を含む、銀行業務に関連する様々な情報処理を行う。データベースサーバ１２０は、元帳データベース１２１、カード登録データベース１２２、ユーザ情報データベース１２３、カード情報データベース１２４、及び、銀行業務に関連する他の各種の情報を格納する。元帳データベース１２１には、口座毎の入出金履歴を含む口座関連情報が格納される。例えば、元帳データベース１２１は、入出金の種別、入出金が行われた日付、入出金の金額等の入出金履歴を口座毎に格納する。なお、サーバ１１０の機能は、１つ又は複数のサーバによって実現されてよい。また、データベースサーバ１２０の機能は、１つ又は複数のデータベースサーバによって実現されてよい。また、サーバ１１０及びデータベースサーバ１２０の機能は、１つのサーバによって実現されてもよい。なお、サーバ１１０及びデータベースサーバ１２０は、現金払出制御システムとして機能してよい。
【００２１】
ＣＤ１００ａ、ＣＤ１００ｂ及びＣＤ１００ｃのそれぞれは、銀行ネットワーク１６０を通じてサーバ１１０と通信して、ユーザ１９０に現金の払い出しを行う。なお、ＣＤ１００ａ、ＣＤ１００ｂ及びＣＤ１００ｃは、銀行の店舗２０ａに設けられる。また、ＣＤ１００ａ、ＣＤ１００ｂ及びＣＤ１００ｃは、それぞれ互いに同様の機能を有する。そのため、本実施形態の説明では、ＣＤ１００ａ、ＣＤ１００ｂ及びＣＤ１００ｃの符号の末尾を省略して、「ＣＤ１００」と総称する場合がある。なお、店舗２０ｂ及び店舗２０ｃにも、ＣＤ１００と同様の構成の現金自動払出機（ＣＤ）が設けられる。本実施形態の説明では、主として店舗２０ａに設けられるＣＤ１００の機能及び動作について説明し、店舗２０ｂ及び店舗２０ｃの機能及び動作については説明を省略する。
【００２２】
ＣＤ１００は、現金払出口１０４及びカード挿入口１０２を備える。カード１０には、バーコード及び磁気ストライプが設けられている。バーコード及び磁気ストライプには、カード１０を識別するカードＩＤが記録されている。ＣＤ１００は、挿入口１０２に挿入されたカード１０から、磁気ストライプに記録されたカードＩＤを読み取ることができる。
【００２３】
ユーザ端末１８０は、通信ネットワーク１７０を通じた無線通信と、カメラ機能とを有する。ユーザ１９０は、ユーザ端末１８０のユーザである。ユーザ１９０は、ユーザ端末１８０を用いてサーバ１１０と通信する。ＣＤ１００ａから現金を払い出す場合を取り上げて、各構成要素の動作を概略的に説明する。
【００２４】
ユーザ１９０は、ユーザ端末１８０を操作してネットバンキングアプリを起動させて、ネットバンキングのログイン画面をユーザ端末１８０に表示させる。ユーザ１９０は口座番号及びログインパスワード等のログイン情報を入力して、サーバ１１０にログインする。ユーザ情報データベース１２３は、ユーザの認証情報を格納する。サーバ１１０は、ユーザ情報データベース１２３に格納されている情報とログイン情報を照合して、ログインの可否を決定する。
【００２５】
ユーザ１９０は、サーバ１１０にログインした状態で、ユーザ端末１８０に表示される操作画面を通じて、カード１０に現金払出機能を追加する操作を行う。具体的には、ユーザ１９０は、ユーザ端末１８０のカメラ機能によりカード１０のバーコードを撮影する。ユーザ端末１８０は、バーコードから読み取ったカードＩＤを、サーバ１１０に送信する。サーバ１１０は、カード登録データベース１２２に、カードＩＤと、ユーザ１９０の口座番号とを対応づけて格納する。
【００２６】
カード１０がＣＤ１００ａのカード挿入口１０２に挿入されると、ＣＤ１００ａは、カード１０の磁気ストライプから読み取ったカードＩＤを、サーバ１１０に送信する。サーバ１１０は、受信したカードＩＤに対応づけてカード登録データベース１２２に格納されている口座番号から、カード１０に対して予め定められた金額を引き落とす。なお、カード情報データベース１２４には、カードＩＤに対応づけて、引き落とすべき金額が予め格納されている。引き落としが成功すると、サーバ１１０は、予め定められた金額の現金をＣＤ１００ａに払い出すことを許可する。ＣＤ１００ａは、現金の払い出しが許可されると、現金を現金払出口１０４から払い出す。
【００２７】
現金払出システム５によれば、現金の払出機能を、カード１０のような簡便な物品に組み込むことができる。そのため、ユーザ１９０はキャッシュカードを持ち歩かなくて済む。また、カード１０をギフトカードとして他人に渡すこともできる。
【００２８】
図２は、ＣＤ１００、ユーザ端末１８０及びサーバ１１０が備える機能構成を示すブロック図である。ＣＤ１００は、処理部２００と、サーバ通信部２２０と、現金払出部２３０と、磁気リーダ部２１０とを備える。処理部２００は、ＭＰＵ等のプロセッサで実現される。サーバ通信部２２０は、ネットワークＩＣ等で実現される。ＣＤ１００は、２次元の画面を表示する表示デバイスを備えていない。
【００２９】
ユーザ端末１８０は、処理部２５０と、通信部２７０と、表示部２８０と、操作受付部２８２と、格納部２９０と、カメラ部２６０とを有する。処理部２５０は、ＭＰＵ等のプロセッサで実現される。通信部２７０は、移動体通信用プロセッサ、ネットワークＩＣ等で実現される。通信部２７０は、ＷｉＦｉ等の通信規格や、移動体通信の通信規格等、１つ又は複数の通信規格に従って通信する機能を有する。表示部２８０は、液晶ディスプレイ等の表示デバイスで実現される。格納部２９０は、半導体メモリ等の記憶媒体によって実現される。操作受付部２８２は、タッチパネル、操作キー等で実現される。
【００３０】
カメラ部２６０は、撮影により画像データを生成して処理部２５０に供給する。カメラ部２６０がカード１０のバーコードを撮影した場合、バーコードの画像データが処理部２５０に供給される。処理部２５０は、バーコードの画像データを解析して、バーコードに記録されたカードＩＤを抽出する。なお、カード１０のバーコードには、カードＩＤの他に、払出金額が記録されていてよい。処理部２５０は、バーコードの画像データを解析して、バーコードに記録された払出金額を抽出してよい。通信部２７０は、処理部２５０が読み取ったカードＩＤを、サーバ１１０に送信する。このように、ユーザ端末１８０は、カード１０から読み取ったカードＩＤを、サーバ１１０に送信する。
【００３１】
サーバ１１０において、通信部７０は、ユーザ端末１８０がカード１０から読み取ったカードＩＤを、ユーザ端末１８０から受信する。処理部４０は、通信部７０が受信したカードＩＤと、ユーザ端末１８０のユーザ１９０の口座の口座識別情報とを対応付けて、カード登録データベース１２２に格納する。
【００３２】
ＣＤ１００において、磁気リーダ部２１０は、カード１０の磁気ストライプを読み出して、読み出しデータを処理部４０に供給する。処理部４０は、読み出しデータから、カードＩＤを抽出する。サーバ通信部２２０は、処理部４０が抽出したカードＩＤを、サーバ１１０に送信する。このように、ＣＤ１００は、カード１０から読み取ったカードＩＤを、ＣＤ１００に送信する。
【００３３】
ＣＤ通信部８０は、ＣＤ１００がカード１０から読み取ったカードＩＤを、ＣＤ１００から受信する。処理部４０は、ＣＤ通信部８０が受信したカードＩＤに対応づけてカード登録データベース１２２が口座識別情報を格納している場合に、予め定められた払出金額の現金を払い出すことをＣＤ１００に許可する。例えば、処理部４０は、ＣＤ通信部８０が受信したカードＩＤに対応づけてカード登録データベース１２２が口座識別情報を格納している場合に、ＣＤ１００に対して予め定められた払出金額の現金を払い出すことをＣＤ１００に許可する。ＣＤ１００の処理部２００は、カード１０の磁気ストライプをカード１０から読み出した後に、払い出し金額の指定をユーザ１９０から受け付けることなく、処理部４０から許可された予め定められた払出金額の現金を払い出す。
【００３４】
カード情報データベース１２４は、カード１０に対して予め定められた払出金額と当該カード１０のカードＩＤとを対応づけて格納する。なお、カード１０に対して払出金額が定められるのは、処理部４０がＣＤ１００に現金を払い出すことを許可する前であれば、いつでもよい。処理部４０は、ＣＤ通信部８０が受信したカードＩＤに対応づけてカード登録データベース１２２が口座識別情報を格納している場合に、当該カードＩＤに対応づけてカード情報データベース１２４が格納している払出金額の現金を払い出すことを、ＣＤ１００に許可する。また、処理部４０は、ＣＤ通信部８０が受信したカードＩＤに対応づけてカード登録データベース１２２が口座識別情報を格納しており、かつ、当該カードＩＤに対応づけてカード登録データベース１２２が格納している口座識別情報で識別される口座に、当該カードＩＤに対応づけてカード情報データベース１２４が格納している払出金額以上の残高がある場合に、カード情報データベース１２４が格納している払出金額の現金を払い出すことを、ＣＤ１００に許可する。処理部４０は、ＣＤ通信部８０が受信したカードＩＤに対応づけてカード登録データベース１２２が格納している口座識別情報で識別される口座から、当該カードＩＤに対応づけてカード情報データベース１２４が格納している払出金額の引き落とし処理を行う。
【００３５】
なお、通信部７０は、現金の払い出しに利用するＣＤ１００及びＣＤ１００を利用する時刻の少なくとも一方を限定する限定条件を、カードＩＤに対応づけてユーザ端末１８０から受信する。カード登録データベース１２２は、通信部７０が受信したカードＩＤと、口座識別情報と、限定条件とを対応付けて格納する。処理部４０は、ＣＤ通信部８０が受信したカードＩＤに対応づけてカード登録データベース１２２が格納している限定条件が満たされることを条件として、予め定められた払出金額の現金を払い出すことをＣＤ１００に許可する。処理部４０は、現金の払い出しに利用するＣＤ１００の場所と、当該ＣＤ１００に対応する特典の内容とをユーザ端末１８０に送信して、ユーザ端末１８０からユーザ１９０に提示させる。
【００３６】
図３は、サーバ１１０へのログインが完了した後に表示部２８０に表示されるメニュー画面３００の一例を概略的に示す。メニュー画面３００は、払出予約画面の選択ボタン３１０を、構成オブジェクトの一部として含む。選択ボタン３１０は、カードと口座情報の対応付けを登録するための画面を表示させるオブジェクトである。ユーザ１９０が選択ボタン３１０の位置をタッチすると、表示部２８０は、図４に示すカードＩＤ取得画面を表示する。
【００３７】
図４は、カードＩＤ取得画面４００を概略的に示す。カードＩＤ取得画面４００は、撮影枠４１０と、撮影ボタン４９０とを含む。撮影枠４１０には、カメラ部２６０で連続的に撮影された画像が表示される。ユーザ１９０は、撮影枠４１０内にカード１０のバーコードが収まった状態で撮影ボタン４９０をタッチすると、処理部４０は、カメラ部２６０で撮影された画像を解析して、バーコードに記録された情報から、カードＩＤ及び払出金額を抽出する。続いて、表示部２８０は、図５に示す利用回数設定画面５００を表示する。
【００３８】
図５は、利用回数設定画面５００を概略的に示す。利用回数設定画面５００は、払出金額の表示オブジェクト５１０と、利用回数の入力ボックス５２０と、１ヶ月あたりの利用回数の入力ボックス５３０と、設定ボタン５９０とを含む。表示オブジェクト５１０には、払出金額が表示される。入力ボックス５２０には、期間の限定なしにＣＤ１００を利用できる回数を入力することができる。入力ボックス５３０には、１ヶ月あたりにＣＤ１００を利用できる回数を入力することができる。なお、ユーザ１９０は、入力ボックス５２０及び入力ボックス５３０のうち、いずれか一方に利用回数を入力することができる。ユーザ１９０が設定ボタン５９０の位置をタッチすると、表示部２８０は図６に示す利用日時設定画面を表示する。
【００３９】
図６は、利用日時設定画面６００を概略的に示す。利用日時設定画面６００は、利用日の設定オブジェクト６１０と、利用時間帯の入力ボックス６２０と、設定ボタン６９０とを含む。ユーザ１９０は、設定オブジェクト６１０内の利用日の位置をタッチすることで、利用日を設定することができる。入力ボックス６２０には、利用時間帯の開始時刻及び終了時刻を入力することができる。ユーザ１９０が設定ボタン６９０の位置をタッチすると、表示部２８０は図７に示す利用支店設定画面を表示する。
【００４０】
図７は、利用支店設定画面７００を概略的に示す。利用支店設定画面７００は、利用する支店を指定しない旨の設定オブジェクト７１０と、利用支店指定用のオブジェクト７２０と、他地域の選択ボタン７８０と、設定ボタン７９０とを含む。ユーザ１９０は、設定オブジェクト７１０をタッチすることで、利用支店を指定しない旨を設定することができる。
【００４１】
オブジェクト７２０は、支店、及び支店に対応付けられた特典を示す表示オブジェクト７３０ａ〜ｃと、表示オブジェクト７３０ａ〜ｃに対応する選択ボタン７４０ａ〜ｃとを含む。特典を示す情報は、サーバ１１０から提供される。ユーザ１９０は、選択ボタン７４０ａ〜ｃをタッチによって選択することで、対応する支店を利用することを指定することができる。例えば、選択ボタン７４０ａを選択することで、「△町支店」のＣＤを利用することを指定することができる。また、当該ＣＤを利用することで、ユーザ１９０には「△町商店街１００円引クーポン」の特典が付与される。なお、利用支店設定画面７００を最初に表示する場合、オブジェクト７２０内には、ユーザ１９０が予め定めた地域内にある支店の表示オブジェクトを表示してよい。その他、オブジェクト７２０内には、予め定められた頻度より高い頻度でユーザ１９０が利用する支店や、前回に利用した支店と同じ地域内にある支店の一覧を表す表示オブジェクトを表示してもよい。
【００４２】
他地域の選択ボタン７８０をタッチすることで、表示部２８０には、他の地域の支店を選択するための選択画面が表示される。当該選択画面については説明を省略する。ユーザ１９０が設定ボタン７９０の位置をタッチすると、表示部２８０は図８に示す利用ＡＴＭ設定画面を表示する。
【００４３】
図８は、利用ＡＴＭ設定画面８００を概略的に示す。利用ＡＴＭ設定画面８００は、利用するＣＤ１００を選択するオブジェクト８１０と、登録実行ボタン８９０とを含む。オブジェクト８１０は、オブジェクト８２０ａ、オブジェクト８２０ｂ及びオブジェクト８２０ｃを含む。なお、オブジェクト８２０ａ、オブジェクト８２０ｂ及びオブジェクト８２０ｃの位置は、それぞれ店舗２０ａ内における、ＣＤ１００ａ、ＣＤ１００ｂ及びＣＤ１００ｃの設置位置を示すものとする。
【００４４】
オブジェクト８２０ａ及びオブジェクト８２０ｂは、選択可能なオブジェクトである。オブジェクト８２０ａ及びオブジェクト８２０ｂは、ＣＤ１００ａ及びＣＤ１００ｂ内に現金が十分にあり、ユーザ１９０が指定した払出金額の現金をＣＤ１００ａ及びＣＤ１００ｃのいずれからも引き出すことができることを示す。オブジェクト８２０ｃは、選択不可能なオブジェクトである。オブジェクト８２０ｃは、ＣＤ１００ｃ内の現金が不足しており、ユーザ１９０が指定した払出金額の現金をＣＤ１００ｃから引き出すことができないことを示す。ユーザ１９０は、例えば、設定オブジェクト８２０ａの位置をタッチすることで、ＣＤ１００ａを利用して現金の払い出しをすることを選択でできる。
【００４５】
ユーザ１９０が登録実行ボタン８９０の位置をタッチすると、通信部２７０は、図４から図８に関連して説明した画面等を通じて設定された情報と、カードＩＤと、ユーザ１９０の識別情報を含む登録要求情報を、サーバ１１０に送信する。
【００４６】
なお、図８の利用ＡＴＭ設定画面８００において、利用するＣＤ１００を複数選択させてもよい。例えば、ＣＤ１００ａ〜ｃのいずれのＣＤ１００も、指定された時間帯において、払出金額に対して単独ではＣＤ１００内の現金が不足している場合に、複数のＣＤ１００内の現金の合計額が払出金額以上であるときは、それらのＣＤ１００をユーザ１９０に選択させてもよい。この場合に、複数のＣＤ１００内に最低限確保できる金額を上限として、複数のＣＤ１００のそれぞれから払い出す金額をユーザ１９０に指定させてもよい。
【００４７】
図９は、サーバ１１０が生成するカード登録情報及びカード情報データベース１２４が格納するデータ形式の一例をテーブル形式で示す。カード登録情報は、カードＩＤと、口座識別情報と、利用場所情報と、利用日時情報と、利用可能回数情報と、カード登録情報の受付日時とを含む。
【００４８】
カード登録データベース１２２におけるカードＩＤは、カード１０を識別する情報であり、ユーザ端末１８０から受信した場合に格納される。口座識別情報は、ユーザ１９０の銀行口座を識別する情報である。口座識別情報は、支店コード及び口座番号を含んでよい。なお、口座識別情報は、金融機関を識別する金融機関コード、支店コード及び口座番号を含んでよい。口座識別情報に金融機関コードを含めることで、ＣＤ１００を管理する金融機関とは異なる金融機関の口座に対して、残高を問い合わせや引き落とし処理をすることができる。
【００４９】
「利用場所」の情報は、図７、図８で設定した情報に基づいて生成され、利用場所を限定する限定条件の１つである。「利用場所」の情報は、銀行の特定の支店を識別する支店識別情報、特定のＡＴＭを識別するＡＴＭ識別情報等であってよい。
【００５０】
「利用日時」の情報は、図６で設定した情報に基づいて生成され、利用時刻を限定する限定条件の１つである。「利用日時」の情報は、利用する月日及び利用する時間帯の少なくとも一方であってよい。
【００５１】
「利用可能回数」の値は、あと何回現金の払い出しを行うことができるかを示す。「利用可能回数」の情報は、払い出しが行われる度に１回減算される。１月あたりの払出回数が設定されている場合を除き、「利用可能回数」の値が０になった場合に、カード登録情報は破棄される。１月あたりの払出回数が設定されている場合は、０になってもカード登録情報は破棄されない。「利用可能回数」の値は、新しい月に替わったときに、予約時に設定された１月あたりの払出回数に再設定される。
【００５２】
「受付日時」は、登録要求情報をサーバ１１０が受信した日時を示す。なお、サーバ１１０は、登録要求情報の受付日時と現在時刻とに基づいて、カード登録情報が有効な有効日時を決定する。サーバ１１０は、有効日時を過ぎたカード登録情報を、カード登録データベース１２２から破棄してよい。例えば、受付日から１年後の日の最終時刻を、有効日時として採用してよい。有効期間は１年に限られない。受付日時から予め定められた時間が経過した日時を有効日時として採用してよい。
【００５３】
カード情報データベース１２４は、カードＩＤに対応づけて払出金額を格納する。払出金額は、配布されるカード１０に対応して予め定められている。
【００５４】
図１０は、カード１０を用いてＣＤ１００から払い出しをする場合のＣＤ１００及びサーバ１１０の処理シーケンスの一例を示す。ＣＤ１００において、カード１０が挿入口１０２に挿入されると、磁気リーダ部２１０がカード１０から磁気ストライプを読み取って、磁気リーダ部２１０によって読み取られた情報から、処理部４０がカード１０のカードＩＤを抽出する（Ｓ１００２）。続いて、サーバ通信部２２０は、サーバ１１０にカードＩＤ及びＣＤ１００の識別情報を送信する（Ｓ１００４）。
【００５５】
サーバ１１０において、処理部４０は、利用場所及び利用日時の限定条件を満たすか判断する（Ｓ１０１０）。具体的には、処理部２００は、カード登録情報の「利用場所」において利用場所を限定する限定条件が設定されている場合には、ＣＤ１００が利用場所の限定条件を満たすかを判断する。また、カード登録情報の「利用日時」において利用日時を限定する限定条件が設定されている場合には、現在の日時が利用日時の限定条件を満たすかを判断する。なお、少なくともいずれかの限定条件が満たされないと判断した場合は、エラーとする。
【００５６】
利用場所及び利用日時の限定条件が満たされた場合、処理部４０は、データベースサーバ１２０のデータベースを更新する（Ｓ１０１２）。具体的には、カード登録データベース１２２において、カードＩＤに対応するカード登録情報の「利用可能回数」をデクリメントする。また、処理部４０は、元帳データベース１２１を参照して、カード登録情報の「口座識別情報」で識別される口座の残高を確認して、払出金額を引き落とすことが可能であれば、残高から払出金額を引き落とす。処理部４０は、カード登録情報の「口座識別情報」で識別される口座から払出金額を引き落とすことができない場合には、エラーとする。また、処理部４０は、利用されたＣＤ１００が図７で選択した支店内のＣＤ１００であることを条件として、図７で選択したＣＤ１００に対応する特典情報を、ユーザ情報データベース１２３に格納する。これにより、ユーザ１９０に特典を付与することができる。なお、特典は、ネットバンキングアプリでサーバ１１０にアクセスすることによって、確認し有効化することができる。
【００５７】
サーバ１１０は、Ｓ１０１０及びＳ１０１２のいずれにおいてもエラーが生じなかった場合は、払出許可及び払出金額をＣＤ１００に送信し、エラーが生じた場合は、払出不許可をＣＤ１００に送信する（Ｓ１０１４）。ＣＤ１００において、Ｓ１０１４で払出許可を受信した場合は、受信した払出金額の現金を現金払出口１０４に移動させて、現金を払い出す（Ｓ１０２０）。
【００５８】
なお、上述した現金払出システム５において、現金自動払出機であるＣＤ１００を取り上げて説明した。しかし、現金払出システムとは、現金自動預払機（ＡＴＭ）やＡＴＭを利用するシステムを含む概念である。上述したＣＤ１００に関連する機能の少なくとも一部を現金自動預払機（ＡＴＭ）に適用して、上述した現金払出システム５に関連する機能の少なくとも一部をＡＴＭシステムに適用できる。また、現金払出システムの適用対象は、銀行口座からの現金引き出しやキャッシングに限られない。現金払出システムは、銀行口座以外の各種の金融口座からの現金引き出にも適用できる。
【００５９】
なお、ユーザ端末１８０がカード１０のカードＩＤを読み取る手段として、上述したバーコード撮影以外の手段を採用できる。例えば、ユーザ端末１８０は、ＮＦＣ（Ｎｅａｒ  Ｆｉｅｌｄ  Ｃｏｍｍｕｎｉｃａｔｉｏｎ）、ＲＦＩＤ等の無線タグ等によって、カード１０からカードＩＤを読み取ってよい。すなわち、カード１０は、カードＩＤを無線で発信する無線タグ又は印刷されたバーコードを有する。カードＩＤは、カードが有する無線タグ又はバーコードを介してユーザ端末１８０に読み出される。また、カード１０がカード１０のカードＩＤを読み取る手段として、磁気ストライプ以外の手段を採用できる。例えば、ＣＤ１００は、ＮＦＣ（Ｎｅａｒ  Ｆｉｅｌｄ  Ｃｏｍｍｕｎｉｃａｔｉｏｎ）、ＲＦＩＤ等の無線タグ、又はバーコードスキャン等によって、カード１０からカードＩＤを読み取ってよい。
【００６０】
上記の説明において、ユーザ端末１８０の動作として説明した処理の少なくとも一部は、プロセッサがプログラムに従ってコンピュータが有する各ハードウェア（例えば、ハードディスク、メモリ等）を制御することにより実現できる。このように、ユーザ端末１８０の処理の少なくとも一部は、プロセッサがプログラムに従って動作して各ハードウェアを制御することにより、プロセッサ、ハードディスク、メモリ等を含む各ハードウェアとプログラムとが協働して動作することにより実現できる。すなわち、プログラムが、ユーザ端末１８０の各部としてコンピュータを機能させることができる。コンピュータは、上述した処理の実行を制御するプログラムを読み込み、読み込んだプログラムに従って動作して、当該処理を実行してよい。コンピュータは、当該プログラムを記憶しているコンピュータ読取可能な記録媒体から当該プログラムを読み込むことができる。また、当該プログラムは通信回線を通じてコンピュータに供給され、コンピュータは、通信回線を通じて供給されたプログラムを読み込んでよい。
【００６１】
同様に、サーバ１１０の動作として説明した処理の少なくとも一部は、プロセッサがプログラムに従ってコンピュータが有する各ハードウェアを制御することにより実現でき、プログラムがサーバ１１０としてコンピュータを機能させることができる。なお、サーバ１１０の動作として説明した処理のうち、各種の情報を送受信する動作は通信部７０又はＣＤ通信部８０が行い、情報の送受信以外の他の動作、例えば各種の判断や許可等の動作は、処理部４０が行うことができる。
【００６２】
また、同様に、ＣＤ１００の動作として説明した処理の少なくとも一部は、プロセッサがプログラムに従ってコンピュータが有する各ハードウェアを制御することにより実現できる。プログラムが、ＣＤ１００の各部としてコンピュータを機能させることができる。これらのプログラムも、当該プログラムを記憶しているコンピュータ読取可能な記録媒体としてコンピュータに供給できる。また、これらのプログラムも、通信回線を通じてコンピュータに供給され、コンピュータは、通信回線を通じて供給されたプログラムを読み込んでよい。
【００６３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００６４】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００６５】
５  現金払出システム
１０  カード
２０  店舗
４０  処理部
７０  通信部
８０  ＣＤ通信部
１００  ＣＤ
１０２  挿入口
１０４  現金払出口
１１０  サーバ
１２０  データベースサーバ
１２１  元帳データベース
１２２  カード登録データベース
１２３  ユーザ情報データベース
１２４  カード情報データベース
１６０  銀行ネットワーク
１７０  通信ネットワーク
１８０  ユーザ端末
１９０  ユーザ
２００  処理部
２１０  磁気リーダ部
２２０  サーバ通信部
２３０  現金払出部
２５０  処理部
２６０  カメラ部
２７０  通信部
２８０  表示部
２８２  操作受付部
２９０  格納部
３００  メニュー画面
３１０  選択ボタン
４９０  撮影ボタン
４００  カードＩＤ取得画面
４１０  撮影枠
５００  利用回数設定画面
５１０  表示オブジェクト
５２０、５３０  入力ボックス
５９０  設定ボタン
６００  利用日時設定画面
６１０  設定オブジェクト
６２０  入力ボックス
６９０  設定ボタン
７００  利用支店設定画面
７１０  設定オブジェクト
７２０  オブジェクト
７３０  表示オブジェクト
７４０、７８０、  選択ボタン
７９０  設定ボタン
８００  利用ＡＴＭ設定画面
８１０、８２０  オブジェクト
８９０  登録実行ボタン
【図１】
0006308986.tif 000002
【図２】
0006308986.tif 000003
【図３】
0006308986.tif 000004
【図４】
0006308986.tif 000005
【図５】
0006308986.tif 000006
【図６】
0006308986.tif 000007
【図７】
0006308986.tif 000008
【図８】
0006308986.tif 000009
【図９】
0006308986.tif 000010
【図１０】
0006308986.tif 000011